【手続補正書】
【提出日】平成20年4月18日(2008.4.18)
【手続補正１】
【補正対象書類名】特許請求の範囲
【補正対象項目名】全文
【補正方法】変更
【補正の内容】
【特許請求の範囲】
【請求項１】
トリフルオロヨードメタンと、トリフルオロヨードメタンの総重量に基づいて約０.００１〜約１０重量パーセントの、少なくとも一つのフェノール化合物を含む安定剤と、芳香族エポキシド、アルキルエポキシド、アルケニルエポキシド、多置換エポキシド、およびこれらの２以上の組み合わせからなる群から選択される少なくとも一つのエポキシドとを含む組成物。
【請求項２】
前記少なくとも一つのフェノール化合物は、4,4’-メチレンビス(2,6-ジ-t-ブチルフェノール)；4,4’-ビス(2,6-ジ-t-ブチルフェノール)；2,2-ビフェニルジオール；4,4-ビフェニルジオール；2,2-および4,4-ビフェニルジオールの誘導体；2,2’-メチレンビス(4-エチル-6-t-ブチルフェノール)；2,2’-メチレンビス(4-メチル-6-t-ブチルフェノール)；4,4-ブチリデンビス(3-メチル-6-t-ブチルフェノール)；4,4-イソプロピリデンビス(2,6-ジ-t-ブチルフェノール)；2,2’-メチレンビス(4-メチル-6-ノニルフェノール)；2,2’-イソブチリデンビス(4,6-ジメチルフェノール)；2,2’-メチレンビス(4-メチル-6-シクロヘキシルフェノール)；2,6-ジ-t-ブチル-4-メチルフェノール；BHT；2,6-ジ-t-ブチル-4-エチルフェノール；2,4-ジメチル-6-t-ブチルフェノール；2,6-ジ-t-α-ジメチルアミノ-p-クレゾール；2,6-ジ-t-ブチル-4(N,N’-ジメチルアミノメチルフェノール)；4,4’-チオビス(2-メチル-6-t-ブチルフェノール)；4,4’-チオビス(3-メチル-6-t-ブチルフェノール)；2,2’-チオビス(4-メチル-6-t-ブチルフェノール)；ビス(3-メチル-4-ヒドロキシ-5-t-ブチルベンジル) スルフィド；ビス(3,5-ジ-t-ブチル-4-ヒドロキシベンジル) スルフィド；トコフェロール；ヒドロキノン；t-ブチルヒドロキノン；ヒドロキノンの誘導体；およびこれらの２以上の組み合わせ；からなる群から選択される、請求項１に記載の組成物。
【請求項３】
前記少なくとも一つのフェノールはトコフェロールを含む、請求項１に記載の組成物。
【請求項４】
前記少なくとも一つのエポキシドは次の式Ｉによって定義される芳香族エポキシドを含み：
【化１】
2007532766.tif 000001
ここで、Rは水素、アルキル基、フルオロアルキル基、アリール基、フルオロアリール基
、または次の基であり；
【化２】
2007532766.tif 000002
そして、Arは置換または非置換フェニレン成分またはナフチレン成分である、請求項１に記載の組成物。
【請求項５】
式Ｉの前記芳香族エポキシドは、ブチルフェニルグリシジルエーテル；ペンチルフェニルグリシジルエーテル；ヘキシルフェニルグリシジルエーテル；ヘプチルフェニルグリシジルエーテル；オクチルフェニルグリシジルエーテル；ノニルフェニルグリシジルエーテル；デシルフェニルグリシジルエーテル；グリシジルメチルフェニルエーテル；1,4-ジグリシジルフェニルジエーテルおよびこれらの誘導体；1,4-ジグリシジルナフチルジエーテ
ルおよびその誘導体；2,2’[[[5-ヘプタデカフルオロオクチル]1,3フェニレン]ビス[[2,2,2トリフルオロメチル]エチリデン]オキシメチレン]ビスオキシラン；ナフチルグリシジルエーテル；4-メトキシフェニルグリシジルエーテル；ナフチルグリシジルエーテルの誘導体；およびこれらの２以上の組み合わせ；からなる群から選択される、請求項４に記載の組成物。
【請求項６】
前記少なくとも一つのエポキシドは次の式IIによって定義されるアルキルエポキシドまたはアルケニルエポキシドを含み：
【化３】
2007532766.tif 000003
ここで、Ralkは置換または非置換アルキル基またはアルケニル基である、請求項１に記載の組成物。
【請求項７】
Ralkは約１〜約１０の炭素原子を有する置換アルキル基、非置換アルキル基、置換アルケニル基、または非置換アルケニル基である、請求項６に記載の組成物。
【請求項８】
式IIの前記エポキシドは、n-ブチルグリシジルエーテル、イソブチルグリシジルエーテル、ヘキサンジオールジグリシジルエーテル、アリルグリシジルエーテル、ポリプロピレングリコールジグリシジルエーテル、およびこれらの２以上の組み合わせからなる群から選択される、請求項６に記載の組成物。
【請求項９】
前記少なくとも一つのエポキシドはアリルグリシジルエーテルを含む、請求項８に記載の組成物。
【請求項１０】
前記少なくとも一つのエポキシドはアリルグリシジルエーテルを含む、請求項３に記載の組成物。
【請求項１１】
HFCs、およびこれらの２以上の組み合わせからなる群から選択される流体をさらに含む、請求項１に記載の組成物。
【請求項１２】
前記流体はHFO-1234zeを含む、請求項１１に記載の組成物。
【請求項１３】
前記流体はHFO-1234yfを含む、請求項１１に記載の組成物。
【請求項１４】
前記流体はHFC-32を含む、請求項１１に記載の組成物。
【請求項１５】
前記流体はHFC-152aを含む、請求項１１に記載の組成物。
【請求項１６】
前記流体はHFO-1225の少なくとも一つの異性体を含む、請求項１１に記載の組成物。
【請求項１７】
プロパン、ブタンの異性体、ペンタンの異性体、およびこれらの組み合わせからなる群から選択される炭化水素をさらに含む、請求項１に記載の組成物。
【請求項１８】
潤滑剤をさらに含む、請求項１に記載の組成物。
【請求項１９】
前記潤滑剤は、鉱油、シリコーン油、ポリアルキルベンゼン（PABs）、ポリオールエステル（POEs）、ポリアルキレングリコール（PAGs）、ポリアルキレングリコールエステル（PAGエステル）、ポリビニルエーテル（PVEs）、ポリ(α-オレフィン)（PAOs）、およびこれらの２以上の組み合わせからなる群から選択される、請求項１８に記載の組成物。
【請求項２０】
前記潤滑剤は鉱油を含む、請求項１９に記載の組成物。
【請求項２１】
金属不動態化剤、極限圧力添加剤、腐食抑制剤、およびこれらの２以上の組み合わせからなる群から選択される添加剤をさらに含む、請求項１に記載の組成物。
【請求項２２】
トリフルオロヨードメタンを含む組成物を安定させる方法であって、トリフルオロヨードメタンを含む組成物を用意し、そしてこの用意された組成物に、少なくとも一つのフェノール化合物を含み、そして芳香族エポキシド、アルキルエポキシド、アルケニルエポキシドおよびこれらの２以上の組み合わせからなる群から選択される少なくとも一つのエポキシドを含む有効量の安定剤を導入することを含む、前記方法。
【請求項２３】
前記用意された組成物は、HFCs、およびこれらの２以上の組み合わせからなる群から選択される流体をさらに含む、請求項２２に記載の方法。
【請求項２４】
前記流体はHFO-1234zeを含む、請求項２３に記載の方法。
【請求項２５】
前記流体はHFO-1234yfを含む、請求項２３に記載の方法。
【請求項２６】
前記流体はHFC-32を含む、請求項２３に記載の方法。
【請求項２７】
前記流体はHFC-152aを含む、請求項２３に記載の方法。
【請求項２８】
前記導入する工程は、トリフルオロヨードメタンを含む前記組成物に前記有効量の前記安定剤を含む潤滑剤を導入することを含む、請求項２２に記載の方法。
【請求項２９】
前記潤滑剤は、鉱油、シリコーン油、ポリアルキルベンゼン（PABs）、ポリオールエステル（POEs）、ポリアルキレングリコール（PAGs）、ポリアルキレングリコールエステル（PAGエステル）、ポリビニルエーテル（PVEs）、ポリ(α-オレフィン)（PAOs）、およびこれらの２以上の組み合わせからなる群から選択される、請求項２８に記載の組成物。